(57)【特許請求の範囲】
【請求項１】
フロント部とテンプルとを回動自在に連結する眼鏡用蝶番であって、
フロント部に接続される第１のコマと、テンプルに接続される第２のコマと、前記２つのコマを連結する軸部材とを備え、
前記第１のコマ及び／又は前記第２のコマが、環状をなして前記軸部材が挿入される中央部と、該中央部よりも大きな環状体の一部をなす外周部を備え、前記外周部が、超弾性材料によって変形可能に形成された弾性部を備えていることを特徴とする眼鏡用蝶番。
【請求項２】
前記第１のコマ及び前記第２のコマが共に、環状をなして前記軸部材が挿入される中央部と、該中央部よりも大きな環状体の一部をなす外周部を備えていることを特徴とする請求項１に記載の眼鏡用蝶番。
【請求項３】
前記第１のコマ及び前記第２のコマが、同一の外径を備える前記中央部と同一の外径を備える前記外周部を備えていることを特徴とする請求項２に記載の眼鏡用蝶番。
【請求項４】
前記テンプルが樹脂製であり、前記第２のコマが、前記テンプルの芯金と一体に形成されていることを特徴とする請求項１乃至３の何れか１項に記載の眼鏡用蝶番。
【請求項５】
請求項１乃至４の何れか１項に記載の眼鏡用蝶番を使用した眼鏡。
【発明の詳細な説明】
【技術分野】
【０００１】
本発明は眼鏡用蝶番に関し、特に、眼鏡の装着感をソフトにするとともに、使用者の頭に眼鏡をしっかりと装着することができる眼鏡用蝶番に関する。また、この眼鏡用蝶番を使用した眼鏡に関する。
【背景技術】
【０００２】
眼鏡の装着感をソフトにする主な方法として、２つの技術を挙げることができる。一つの方法は、超弾性材料を用いる技術である。例えば、特許文献１にはＮｉ、Ｔｉ、Ｃｏ三元系の超弾性材料、及びＮｉ、Ｔｉ二元系の超弾性材料をブリッジ及びテンプルに用いる発明が記載され、冷間加工及び成形加工後の形状記憶熱処理に関する研究が記載されている。特許文献２には、フロントリムの合成樹脂材料に関する発明が記載されており、ポリアミド系の超弾性樹脂を用いることが記載されている。
【０００３】
超弾性材料を使用した眼鏡フレームは、従来の材料と比べて大きく曲げることができる弾性を備え、使用者に「しなやかな感じ」を与えることができる。そして、ソフトな装着感を与えることができる。しかしながら、従来の眼鏡フレームにおいては、ブリッジやテンプルの素材全体に超弾性材料を使用しているために、使用者の頭にしっかりと装着させることが難しいという問題がある。すなわち、素材がしなやかに変形するために、装着された眼鏡フレームが時間の経過とともに前へずり落ちてしまうのである。また、眼鏡フレームの掛け外しにおいて無意識に大きな力を掛けたり、或いは不慮の衝突事故等によって眼鏡フレームを大きく変形させてしまうことも少なくない。
【０００４】
「超弾性」は、力を加えると大きなひずみで変形し、その力を除くと元に戻る性質を示す用語として用いられている。通常の金属では０．５％以下のひずみでも回復することができないので、本明細書では、１．０％以上のひずみが完全に回復する材料を「超弾性材料」と称することとし、これには金属材料及び樹脂材料が含まれることとする。
【０００５】
眼鏡の装着感をソフトにする他の方法は、ばね蝶番を用いる技術であり、蝶番に内蔵されたスプリング等の弾性力によってテンプルに挟持力を与える蝶番である。一般的な眼鏡は全て、一対のレンズを備えるフロント部の両端部に、蝶番で連結されたテンプルを備えている。フロント部に環状のリムを備えるフルリムタイプや半環状のリムを備えるハーフリムタイプの眼鏡フレームにあっては、フロント部の両端部は「智」と呼ばれているので、蝶番は、智とテンプルとを連結することになる。また、ツーポイントと呼ばれる縁なしの眼鏡にあっては、蝶番は、レンズに直接取り付けられる止め金具とテンプルとを連結することになる。
【０００６】
眼鏡は、両テンプルを開いた状態で、両テンプル間の距離が使用者の頭にフィットするように調整されている。通常の蝶番を使用する場合には、テンプルの弾性によって少し頭を挟持するように調整されているが、テンプルの弾性だけでは十分な調整ができなかったり、経時的な変化に対応して再調整が必要となったりする。そこで、ばね蝶番を使用することにより、適当な挟持力とすることが可能となり、また、長期間に亘って安定した挟持力を作用させることができる。
【０００７】
例えば、特許文献３には、蝶番を構成する外蝶番体と中蝶番体との間に、弾性を備える特殊なワッシャーを組み入れた眼鏡用蝶番が記載されている。このワッシャーは、リング状の一部が切り欠かれた形状であり、両端部の係合爪部が外蝶番体と中蝶番体に係止するようになっている。これにより、テンプルの回動を最大に開いた状態で、さらにテンプルを開く方向に力を加えると、ワッシャーの撓みによりテンプルをさらに拡開することができる。しかしながら、この蝶番は外蝶番体と中蝶番体の他に２つのワッシャーを備えるために、部品の点数が多くなって全体が複雑となり、故障を起こし易いという問題、或いは故障しないよう頑丈にするために蝶番全体を大きくしなければならないという問題を備えている。
【先行技術文献】
【特許文献】
【０００８】
【特許文献１】特開２００２−１８２１６２号公報
【特許文献２】特開２０１０−８５８９６号公報
【特許文献３】特開平１１−２５８５５１号公報
【発明の概要】
【発明が解決しようとする課題】
【０００９】
この発明が解決しようとする課題は、一対のレンズを備えるフロント部とテンプルとを連結する眼鏡用蝶番であって、構造が簡単であり、小さくても故障することのない眼鏡用蝶番を提供することである。そして、眼鏡の使用者にソフトな装着感を与えるとともに、使用者の頭にしっかりと装着され、時間が経過しても前へずり落ちることのない眼鏡を提供することである。また、掛け外し時の無意識な力や事故等において変形することが少ない眼鏡を提供することである。
【課題を解決するための手段】
【００１０】
本発明の請求項１に係る眼鏡用蝶番は、フロント部とテンプルとを回動自在に連結する眼鏡用蝶番であって、フロント部に接続される第１のコマと、テンプルに接続される第２のコマと、前記２つのコマを連結する軸部材とを備え、前記第１のコマ及び／又は前記第２のコマが、環状をなして前記軸部材が挿入される中央部と、該中央部よりも大きな環状体の一部をなす外周部を備え、前記外周部が、超弾性材料によって変形可能に形成された弾性部を備えている手段を採用している。
【００１１】
また、本発明の請求項２に係る眼鏡用蝶番は、請求項１に記載の眼鏡用蝶番において、前記第１のコマ及び前記第２のコマが共に、環状をなして前記軸部材が挿入される中央部と、該中央部よりも大きな環状体の一部をなす外周部を備えている手段を採用している。また、本発明の請求項３に係る眼鏡用蝶番は、請求項２に記載の眼鏡用蝶番において、前記第１のコマ及び前記第２のコマが、同一の外径を備える前記中央部と同一の外径を備える前記外周部を備えている手段を採用している。また、本発明の請求項４に係る眼鏡用蝶番は、請求項１乃至３の何れか１項に記載の眼鏡用蝶番において、前記テンプルが樹脂製であり、前記第２のコマが、前記テンプルの芯金と一体に形成されている手段を採用している。
【００１２】
さらに、本発明の請求項５に係る眼鏡は、請求項１乃至４の何れか１項に記載の眼鏡用蝶番を使用した手段を採用している。
【発明の効果】
【００１３】
本発明の眼鏡用蝶番は、上記の手段を採用したことによって、非常に優れたばね蝶番の機能を発揮することができる。すなわち、構成部品の点数が少ないために、故障を起こし難い蝶番とすることができる。また、この蝶番を使用した眼鏡を装着した使用者は、超弾性材料特有のソフトな装着感を得ることができる。また、使用される超弾性材料が、眼鏡の一部分に限定されていることによって、使用者の頭部にしっかりと装着され、時間が経過しても前へずり落ちることがない。また、掛け外しにおける無意識の力や事故によっても、変形することが少ない眼鏡とすることができる。
【図面の簡単な説明】
【００１４】
【図１】本発明の眼鏡用蝶番の一例を示し、（ａ）は概略平面図、（ｂ）は概略正面図、（ｃ）は（ｂ）のＡ−Ａ矢視による一部断面図である。
【図２】図１の眼鏡用蝶番における第１のコマを示し、（ａ）は概略平面図、（ｂ）は概略正面図、（ｃ）は（ｂ）のＢ−Ｂ矢視における一部断面図である。
【図３】図１の眼鏡用蝶番における第２のコマを示し、（ａ）は概略平面図、（ｂ）は概略正面図、（ｃ）は（ａ）のＣ−Ｃ矢視における一部断面図、（ｄ）は（ａ）のＤ−Ｄ矢視図である。
【図４】図１の眼鏡用蝶番の作用機能を示す説明図であり、（ａ）は全体に作用する力を示し、（ｂ）は第２のコマに作用する力、（ｃ）は第１のコマに作用する力を示す。
【図５】図１の眼鏡用蝶番を使用した眼鏡の一例を示す概略平面図である。
【図６】図５の眼鏡を示す概略正面図である。
【図７】図５の眼鏡を示す概略側面図である。
【図８】図５のテンプルで使用する芯金を示し、（ａ）は概略平面図、（ｂ）は概略側面図を示す。
【発明を実施するための形態】
【００１５】
本発明の眼鏡用蝶番の一例を図１〜図３に示す。図１は、眼鏡用蝶番１０を構成する第１のコマ２０、第２のコマ３０及び軸部材４０が組み立てられた状態であり、テンプルを最大に開いたときの状態を示している。第１のコマ２０は、眼鏡のフロント部に接続されるコマであり、第２のコマ３０は、眼鏡のテンプルに接続されるコマである。ここでは、第１のコマ２０を外コマとし、第２のコマ３０を中コマとしているが、これらを逆にすることも可能である。
【００１６】
第１のコマ２０は、小さい環状をなす一対の中央部２１ａ、２１ｂと、これよりも大きな環状体の一部をなす一対の外周部２２ａ、２２ｂと、フロント部に接続される接続部２３を備えている。一対の中央部２１ａ、２１ｂと一対の外周部２２ａ、２２ｂは、それぞれ外コマを形成し、中コマとなる第２のコマ３０を挟持するように形成されている。外周部２２ａ、２２ｂの一端側は、それぞれ中央部２１ａ、２１ｂに接続され、他端側は共に接続部２３に接続されている。
【００１７】
一対の外周部２２ａ、２２ｂには、互いに対向する面の他端側に段差が設けられ、ストッパー２６ａ、２６ｂが形成されている。これらは、第２のコマ３０に形成されるストッパー３６ａ、３６ｂと共に、２つのコマの相互回動を制限している。中央部２１ａには、軸部材４０を形成するボルトを挿入することができる軸孔２４ａが設けられ、中央部２１ｂには、このボルトと螺合するねじ孔２４ｂが設けられている。
【００１８】
環状体の一部をなす外周部２２ａ、２２ｂにおいて、図２（ａ）に矢印ｍ−ｍで示す範囲は、弾性部２５ａ、２５ｂであり、超弾性材料によって変形可能に形成されている。超弾性材料は、先に定義した材料であり、第１のコマ２０全体に使用することが好ましい。第１のコマ２０に外力が働いた場合における、弾性部２５ａ、２５ｂの作用機能については後述する。
【００１９】
第２のコマ３０は、小さい環状をなす中央部３１と、これよりも大きな環状体の一部をなす外周部３２と、テンプルに接続される接続部３３を備えている。中央部３１と外周部３２は中コマを形成し、外コマとなる第１のコマ２０により挟持されるように形成されている。外周部３２の一端側は中央部３１に接続され、他端側は接続部３３に接続されている。
【００２０】
環状体の一部をなす外周部３２の外径は、第１のコマ２０の外周部２２ａ、２２ｂと同一の外径に形成することが好ましい。これにより、弾性部３５は、第１のコマ２０の弾性部２５ａ、２５ｂと同一の外径を備える環状体の一部に形成される。そして、このような形状とすることにより、眼鏡用蝶番１０は、通常の蝶番と同様の外観を呈することになる。
【００２１】
外周部３２には、第１のコマ２０のストッパー２６ａ、２６ｂに対向するように段差が設けられ、ストッパー３６ａ、３６ｂが形成されている。これらのストッパー２６ａ、２６ｂ、３６ａ、３６ｂによって、２つのコマの相互回動が制限されている。中央部３１には、軸部材４０を形成するボルトを挿入するための軸孔３４が設けられている。外周部３２において、図３（ａ）に矢印ｎ−ｎで示す範囲は、弾性部３５であり、超弾性材料によって変形可能に形成されている。超弾性材料は先に定義した材料であり、第２のコマ３０全体に使用することが好ましい。
【００２２】
眼鏡用蝶番１０の作用機能について、図４を用いて説明する。第１のコマ２０と第２のコマ３０は、軸部材４０を中心に相互に回動する。テンプルを最大に開いた状態では、第１のコマ２０のストッパー２６ａ、２６ｂと第２のコマ３０のストッパー３６ａ、３６ｂとが当接している。この状態から、さらにテンプルを開く方向に力が働いた場合には、当接部を支点として、図４（ａ）に矢印Ｘで示すような力が作用することになる。
【００２３】
このとき、図４（ｂ）に示す第２のコマ３０では、環状体の一部をなす弾性部３５が縮閉する方向に撓むこととなり、同時に、軸部材４０を介して、第１のコマ２０の中央部２１ａ、２１ｂに対して矢印Ｙで示すような力を作用させることとなる。図４（ｃ）に示す第１のコマ２０では、矢印Ｙの力が外周部２５ａ、２５ｂの一端側に矢印Ｚの力となって作用するので、環状体の一部をなす弾性部２５ａ、２５ｂが拡開する方向に撓むこととなる。
【００２４】
第１のコマ２０及び第２のコマ３０におけるこれらの撓みは、弾性部２５ａ、２５ｂ、３５に超弾性材料を使用することによって大きな変形とすることができる。したがって、本発明の眼鏡用蝶番１０は、従来のばね蝶番と同等以上の機能を備えることになり、構造が簡単で、故障を起こし難い蝶番とすることができる。
【００２５】
なお、眼鏡用蝶番１０では、弾性部２５ａ、２５ｂ、３５が、全て環状体の一部をなす形状に形成され、通常の蝶番と同様な外観を呈するようにしているが、他の形状とすることも可能であり、例えば、Ｕ字状の弾性部や楕円状の弾性部とすることも可能である。
【００２６】
本発明の眼鏡用蝶番１０を使用した眼鏡の実施例を図５〜図７に示す。図５は眼鏡５０の概略平面図であり、図６は眼鏡５０の概略正面図であり、図７は眼鏡５０の概略側面図である。眼鏡５０は、フロント部６０とテンプル７０とが眼鏡用蝶番１０によって相互に回動可能に連結されている。フロント部６０は、端部６２に眼鏡用蝶番１０が取り付けられる主部６１と、主部６１の裏面側に取り付けられる枠体６５で構成され、レンズ８０は枠体６５に取り付けられている。
【００２７】
このように、フロント部６０を主部６１と枠体６５とで構成した場合には、次の２つの利点がある。一つは、主部６１の構造が、レンズ８０の取り付けによる制限を受けないために、フロント部６０におけるデザインの幅を広げることができる。例えば、主部６１の一部に図５に示すような弾性部６３を設けることにより、新しい外観を呈するとともに一層ソフトな装着感を与えることができる。また、レンズ８０を取り付ける枠体６５は、レンズ８０に最適な取り付け方法を採用することができる。すなわち、レンズ８０の取り付けを主部６１の形状とは無関係に行うことが可能であり、レンズ８０がハイカーブであっても、最適な状態で簡単に取り付けることができる。
【００２８】
フロント部６０及びテンプルを構成する材質は、金属製とすることも樹脂製とすることも可能である。また、本発明の眼鏡５０は、フロント部６０に枠体６５を備える特殊な場合を例示したが、通常の型式であるフルリムタイプやハーフリムタイプの眼鏡、或いは、ツーポイントの眼鏡に対しても使用することができる。
【００２９】
眼鏡５０のテンプル７０は樹脂製であり、内部に金属製の芯金７１を使用して、強度を高くしている。そして、図８に示すように、芯金７１の一端は、眼鏡用蝶番１０の第２のコマ３０と一体に形成されている。図８（ａ）は平面図、（ｂ）は側面図である。
【００３０】
本願発明の眼鏡用蝶番１０を使用した眼鏡５０は、外観上は従来の蝶番を使用した場合と同様とすることができる。そして、眼鏡用蝶番１０を使用した眼鏡５０を装着した使用者は、超弾性材料特有のソフトな装着感を得ることができる。さらに、使用される超弾性材料が眼鏡５０の一部分に限定されていることによって、使用者の頭部にしっかりと装着され、時間が経過しても前へずり落ちることがない。また、掛け外しにおける無意識の力や事故によっても、変形することが少ない眼鏡とすることができる。
【符号の説明】
【００３１】
１０    眼鏡用蝶番
２０    第１のコマ
２５ａ  弾性部
２５ｂ  弾性部
３０    第２のコマ
３５    弾性部
４０    軸部材
５０    眼鏡
６０    フロント部
７０    テンプル
７１    芯金
【図１】
0005643677.tif 000002
【図２】
0005643677.tif 000003
【図３】
0005643677.tif 000004
【図４】
0005643677.tif 000005
【図５】
0005643677.tif 000006
【図６】
0005643677.tif 000007
【図７】
0005643677.tif 000008
【図８】
0005643677.tif 000009